(57)【要約】【課題】暖房パネルの暖房と、室内熱交換機による暖房とを同時に行う場合に、室内熱交換機による暖房と、暖房パネルの暖房とを適正に行うことができるヒートポンプ式空調装置を提供する。【解決手段】圧縮機１１、冷媒循環配管１５、室内熱交換機１６、膨張弁１７及び室外熱交換機１８によって冷凍サイクルを構成する。上流側冷媒循環配管１５ａに第１及び第２バイパス配管Ｐ１，Ｐ２を接続し、その第１及び第２床暖房冷媒配管２４，３４を床暖房パネル２５に埋設する。圧縮機１１により吐出された高温・高圧の冷媒ガスが第１バイパス配管Ｐ１に送られ、床暖房パネル２５が熱交換により温められる。冷媒ガスは室内熱交換機１６に供給され、室内の空気と熱交換されて、中温・中圧の冷媒液となり、該冷媒液は下流側冷媒配管１５ｂにより第２バイパス配管Ｐ２に供給され、冷媒液と床暖房パネル２５が熱交換されて、床暖房パネル２５が温められる。【選択図】図１
2010266127.tif 000002
【特許請求の範囲】
【請求項１】
圧縮機に四方弁を介して冷媒循環配管を接続し、該冷媒循環配管に対し空調用の室内熱交換機、膨張弁及び室外熱交換機を順に接続して冷凍サイクルを構成し、暖房運転状態において、前記室内熱交換機の上流側冷媒配管に対し、暖房パネルに埋設される第１バイパス配管を接続し、前記室内熱交換機の下流側冷媒配管に対し、暖房パネルに埋設される第２バイパス配管を接続し、前記上流側及び下流側冷媒配管に対し、前記第１及び第２バイパス配管に冷媒をそれぞれ迂回させるための流路変更手段を設け、前記第１及び第２バイパス配管に対し、冷房運転状態において、冷媒が侵入するのを阻止する侵入阻止手段を設け、前記圧縮機及び室内熱交換機を、室内の暖房負荷、暖房パネルの暖房負荷又は室内の冷房負荷に応じて制御するための制御信号を出力する制御装置を備えたことを特徴とするヒートポンプ式空調装置。
【請求項２】
請求項１において、前記第１及び第２バイパス配管の前記暖房パネルに埋設される配管を、複数本の第１分流配管及び複数本の第２分流配管としたことを特徴とするヒートポンプ式空調装置。
【請求項３】
請求項１又は２において、前記流路変更手段は、第１及び第２バイパス配管の二つの接続部の間の前記上流側及び下流側冷媒配管に設けられた逆止弁又は電磁弁であり、前記侵入阻止手段は、第１及び第２バイパス配管に設けられた逆止弁又は電磁弁であることを特徴とするヒートポンプ式空調装置。
【請求項４】
請求項１〜３のいずれか一項において、前記室内の暖房負荷又は冷房負荷を検出する手段は、室内熱交換機の空気の吸い込み口の温度を検出する温度センサであり、暖房パネルの負荷を検出する手段は、暖房パネルの温度を検出する温度センサであることを特徴とするヒートポンプ式空調装置。
【請求項５】
請求項１〜４のいずれか一項において、前記室外熱交換機は地中熱を利用する地中熱交換機であることを特徴とするヒートポンプ式空調装置。
【発明の詳細な説明】
【技術分野】
【０００１】
本発明は、床暖房パネル、パネルヒータ及びラジエータのうちいずれか一種の暖房パネルの暖房を行うことができるヒートポンプ式空調装置に関する。
【背景技術】
【０００２】
従来のヒートポンプ式床暖房装置として、特許文献１に開示されたものが提案されている。この床暖房装置を図６に基づいて説明する。圧縮機の吐出配管１２及び吸入配管１３には四方弁１４を介して冷媒循環配管１５が接続されている。前記冷媒循環配管１５には、室内熱交換機１６、膨張弁１７及び室外熱交換機１８が接続されている。前記室内熱交換機１６から膨張弁１７の間の冷媒循環配管１５にはバイパス配管５１が接続され、該バイパス配管５１は床暖房パネル５２に埋設されている。前記バイパス配管５１の二つの接続部の間の冷媒循環配管１５には、電磁弁５３が接続されている。前記圧縮機１１には該圧縮機１１を駆動する可変速モータの回転速度を制御するインバータ５４が設けられている。前記室内熱交換機１６の吹き出し口側には室内の暖房負荷又は冷房負荷を検出するための温度センサ５５が設けられ、床暖房パネル５２には床暖房負荷を検出するための温度センサ５６が設けられている。前記温度センサ５５，５６によって検出された検出値によって、制御装置５７から前記インバータ５４及び室内熱交換機１６の送風ファン５８の可変速モータに制御信号を送るようになっている。
【０００３】
前記四方弁１４が暖房ポートに切り換えられた状態で、暖房運転が開始された直後のように前記温度センサ５５によって検出された温度が低くて、室内の暖房負荷が高い場合には、圧縮機１１が高能力で運転されるとともに、室内熱交換機１６の送風ファン５８の連続回転の暖房が行われ、室温が急速に上昇し、床の温度が徐々に上昇する。その後、室内温度が先に設定温度に達した後、送風ファン５８の制御運転により室温が維持され、圧縮機１１の高能力運転が続けられる。床温度が設定温度に達したとき、室内熱交換機１６の送風ファン５８が停止され、暖房は主として床暖房に切り換えられ、後は圧縮機１１の能力制御によって室内温度が維持される。
【０００４】
なお、前記四方弁１４が冷房ポートに切り換えられるとともに、前記電磁弁５３が開路ポートに切り換えられた状態で、前記冷媒循環配管１５内の冷媒ガスが図６の矢印と反対方向に流れ、従来周知の室内熱交換機１６による室内の冷房運転が行われる。
【先行技術文献】
【特許文献】
【０００５】
【特許文献１】実開昭６１‐１４５２４４号公報
【発明の概要】
【発明が解決しようとする課題】
【０００６】
ところが、上記従来のヒートポンプ式床暖房装置は、一系統のみのバイパス配管５１が前記室内熱交換機１６の下流側の冷媒循環配管１５に接続されていたので、次のような問題があった。即ち、圧縮機１１によって圧縮された高温・高圧の冷媒ガスが冷媒循環配管１５から室内熱交換機１６に供給されて、室内への温風の吹き出しによる室内の暖房が行われると、室内熱交換機１６によって熱交換された後の冷媒ガスは、低温・低圧の気液混合状態の冷媒となって、バイパス配管５１に供給される。このため、前記床暖房パネル５２の面積が広い場合に床暖房に必要な熱容量を確保することが難しく、床暖房パネル５２の床面の温度の上昇勾配を適正化することが難しい。
【０００７】
一方、室内熱交換機１６の上流側の冷媒循環配管１５に前記バイパス配管５１を接続することも考えられる。この場合には、床暖房パネル５２の面積が広い場合に、床暖房パネル５２によって冷媒ガスが熱交換されて、低温・低圧の気液混合状態の冷媒に変化するので、室内熱交換機１６に供給される時点で、冷媒の熱容量が低下し、室内熱交換機１６による暖房を効率的に行うことができず、暖房運転開始時のような暖房負荷の大きい状態において、室内の温度の上昇勾配を適正化することができない。
【０００８】
本発明は、上記従来の技術に存する問題点を解消して、暖房パネルの暖房と、室内熱交換機による暖房とを同時に行う場合に、空調装置の冷凍サイクルの動作を安定化し、室内熱交換機による暖房と、暖房パネルの暖房とを適正に行うことができるヒートポンプ式空調装置を提供することにある。
【課題を解決するための手段】
【０００９】
上記問題点を解決するために、請求項１に記載の発明は、圧縮機に四方弁を介して冷媒循環配管を接続し、該冷媒循環配管に対し空調用の室内熱交換機、膨張弁及び室外熱交換機を順に接続して冷凍サイクルを構成し、暖房運転状態において、前記室内熱交換機の上流側冷媒配管に対し、暖房パネルに埋設される第１バイパス配管を接続し、前記室内熱交換機の下流側冷媒配管に対し、暖房パネルに埋設される第２バイパス配管を接続し、前記上流側及び下流側冷媒配管に対し、前記第１及び第２バイパス配管に冷媒をそれぞれ迂回させるための流路変更手段を設け、前記第１及び第２バイパス配管に対し、冷房運転状態において、冷媒が侵入するのを阻止する侵入阻止手段を設け、前記圧縮機及び室内熱交換機を、室内の暖房負荷、暖房パネルの暖房負荷又は室内の冷房負荷に応じて制御するための制御信号を出力する制御装置を備えたことを要旨とする。
【００１０】
請求項２に記載の発明は、請求項１において、前記第１及び第２バイパス配管の前記暖房パネルに埋設される配管を、複数本の第１分流配管及び複数本の第２分流配管としたことを要旨とする。
【００１１】
請求項３に記載の発明は、請求項１又は２において、前記流路変更手段は、第１及び第２バイパス配管の二つの接続部の間の前記上流側及び下流側冷媒配管に設けられた逆止弁又は電磁弁であり、前記侵入阻止手段は、第１及び第２バイパス配管に設けられた逆止弁又は電磁弁であることを要旨とする。
【００１２】
請求項４に記載の発明は、請求項１〜３のいずれか一項において、前記室内の暖房負荷又は冷房負荷を検出する手段は、室内熱交換機の空気の吸い込み口の温度を検出する温度センサであり、暖房パネルの負荷を検出する手段は、暖房パネルの温度を検出する温度センサであることを要旨とする。
【００１３】
請求項５に記載の発明は、請求項１〜４のいずれか一項において、前記室外熱交換機は地中熱を利用する地中熱交換機であることを要旨とする。
（作用）
本発明は、室内熱交換機及び床暖房パネルの暖房運転状態において、圧縮機から吐出された高温・高圧の冷媒ガスは、第１バイパス配管に導かれ、暖房パネルとの間で熱交換が行われ、暖房パネルが温められる。第１バイパス配管から流出した冷媒ガスは、室内熱交換機に入り、室内の空気との間で熱交換が行われ、室内の暖房が行われる。室内熱交換機を流出した冷媒は、第２バイパス配管に導かれ、暖房パネルとの間で熱交換が行われ、暖房パネルが温められる。従って、暖房パネルの暖房面積が同じ条件において、暖房パネルと室内熱交換機とを同時に暖房運転する場合に、暖房パネルにバイパス配管を一系統しか埋設しないものと比較して、空調装置の冷凍サイクルの動作が安定化され、室内熱交換機による暖房と、暖房パネルの暖房とを適正に行うことができる。
【発明の効果】
【００１４】
本発明によれば、暖房パネルと室内熱交換機とを同時に暖房運転する場合に、空調装置の冷凍サイクルの動作を安定化し、室内熱交換機による暖房と、暖房パネルの暖房とを適正に行うことができる。
【図面の簡単な説明】
【００１５】
【図１】この発明を具体化したヒートポンプ式の床暖房空調装置の一実施形態を示す暖房運転状態の回路図。
【図２】床暖房空調装置の床暖房及び室内暖房運転状態の冷媒ガスの比エンタルピーと圧力との関係を示すモリエル線図。
【図３】床暖房空調装置の床暖房運転状態の冷媒ガスの比エンタルピーと圧力との関係を示すモリエル線図。
【図４】空調装置の冷房運転状態の回路図。
【図５】この発明の別の実施形態を示すヒートポンプ式床暖房空調装置の回路図。
【図６】従来のヒートポンプ床暖房空調装置を示す回路図。
【発明を実施するための形態】
【００１６】
以下、本発明を具体化したヒートポンプ式空調装置の一実施形態を図１〜図４にしたがって説明する。
図１に示すように、低温・低圧の例えば新冷媒ＨＦＣ（４１０Ａ）或いは二酸化炭素の冷媒ガスを吸入して圧縮し、高温・高圧の冷媒ガスを吐出する圧縮機１１の吐出口及び吸入口に接続された吐出配管１２及び吸入配管１３には四方弁１４が接続されている。この四方弁１４には、冷媒循環配管１５が接続され、該冷媒循環配管１５には室内熱交換機１６、膨張弁１７及び室外熱交換機１８が順に接続され、これらの部品により、冷凍サイクルが構成されている。
【００１７】
次に、前記冷媒循環配管１５に接続された床暖房配管について説明する。
この実施形態においては、前記四方弁１４と室内熱交換機１６の間の冷媒循環配管１５を、図１に示す空調装置の後述する暖房運転状態（図１の矢印方向に冷媒ガスが流れる）における前記室内熱交換機１６の上流側冷媒配管１５ａと言う。又、室内熱交換機１６と膨張弁１７の間の冷媒循環配管１５を、前記室内熱交換機１６の下流側冷媒配管１５ｂと言う。
【００１８】
前記上流側冷媒配管１５ａには、第１分岐器２１（接続部イ）を介して冷媒配管２２が分岐接続され、該冷媒配管２２の先端には、第１分流器２３を介して複数本（例えば三本）の第１床暖房冷媒配管２４が分岐接続されている。各第１床暖房冷媒配管２４は、床暖房パネル２５に例えば平面視ヘアピン状にそれぞれ埋設されている。前記各第１床暖房冷媒配管２４は床暖房パネル２５から引き出された後、第１合流器２６により合流され、該第１合流器２６から冷媒配管２７及び第２合流器２８（接続部ロ）によって、前記上流側冷媒配管１５ａに接続されている。この実施形態では、前記第１分岐器２１、冷媒配管２２、第１分流器２３、第１床暖房冷媒配管２４、第１合流器２６、冷媒配管２７及び第２合流器２８等により、床暖房パネル２５の暖房を行うための第１バイパス配管Ｐ１が構成されている。
【００１９】
前記第１分岐器２１と第２合流器２８の間の上流側冷媒配管１５ａには、流路変更手段としての第１逆止弁２９が接続されている。そして、暖房運転状態において、冷媒ガスを第１バイパス配管Ｐ１のみへ供給し、冷房運転状態において、冷媒ガスが上流側冷媒配管１５ａを矢印と反対方向に流れるようにしている。前記冷媒配管２７には、侵入阻止手段としての第２逆止弁３０が設けられ、冷房運転状態において、冷媒ガスが第１バイパス配管Ｐ１へ侵入しないようにしている。
【００２０】
上述した第１バイパス配管Ｐ１は、前記室内熱交換機１６へ供給される前の上流側冷媒配管１５ａ内の高温・高圧の冷媒ガスを利用して、床暖房パネル２５の半分の床面の暖房を行うものである。
【００２１】
ところで、第１バイパス配管Ｐ１に供給された後の冷媒ガスは、前記室内熱交換機１６に供給されて、室内の空気との間で熱交換され、室内の暖房に供される。その後、室内熱交換機１６から下流側冷媒配管１５ｂに流入した冷媒を用いて、床暖房パネル２５の他の半分の床面の暖房が行われる。この床暖房を行うための第２バイパス配管Ｐ２について以下に説明する。
【００２２】
前記下流側冷媒配管１５ｂには、第２分岐器３１（接続部ハ）を介して冷媒配管３２が分岐接続され、該冷媒配管３２の先端には、第３分流器３３を介して複数本（例えば三本）の第２床暖房冷媒配管３４が分岐接続されている。各第２床暖房冷媒配管３４は、床暖房パネル２５に例えば平面視ヘアピン状にそれぞれ埋設されている。前記各第２床暖房冷媒配管３４は床暖房パネル２５から引き出された後、第３合流器３５により合流され、該第３合流器３５には  冷媒配管３６及び第４合流器３７（接続部ハ）によって、前記下流側冷媒配管１５ｂに接続されている。この実施形態では、前記第２分岐器３１、冷媒配管３２、第３分流器３３、第２床暖房冷媒配管３４、第３合流器３５、冷媒配管３６及び第４合流器３７等により、床暖房パネル２５の他の半分の床面の暖房を行うための前記第２バイパス配管Ｐ２が構成されている。
【００２３】
前記第２分岐器３１と第４合流器３７の間の下流側冷媒配管１５ｂには、流路変更手段としての第３逆止弁３８が接続されている。そして、暖房運転状態において、冷媒ガスを第２バイパス配管Ｐ２へ供給し、冷房運転状態において、冷媒ガスが下流側冷媒配管１５ｂを図１の矢印と反対方向に流れるようにしている。前記冷媒配管３６には、侵入阻止手段としての第４逆止弁３９が設けられ、冷房運転状態において、冷媒ガスが第２バイパス配管Ｐ２へ侵入しないようにしている。
【００２４】
前記第１バイパス配管Ｐ１の第１床暖房冷媒配管２４の通路面積は、第２バイパス配管Ｐ２の第２床暖房冷媒配管３４の通路面積よりも大きく設定されている。この理由は、後述するように第１床暖房冷媒配管２４には、大容積を必要とする冷媒ガスが供給され、第２床暖房冷媒配管３４には、大容積を必要としない冷媒液が供給されるからである。
【００２５】
次に、ヒートポンプ式空調装置の動作を制御する制御システムについて説明する。
前記圧縮機１１には、インバータ４１が設けられ、圧縮機１１を駆動する可変速モータ４２の回転速度を、該モータ４２に印加する電圧の周波数を変更することより調整するようになっている。前記室内熱交換機１６の送風ファン４３は可変速モータ４４により回転されるようになっている。前記室内熱交換機１６の空気の吸い込み口の近傍には、空気の吸い込み温度、即ち室内熱交換機１６の暖房負荷又は冷房負荷を検出するための第１温度センサ４５が設けられている。前記床暖房パネル２５には床温度、即ち床暖房パネル２５の暖房負荷を検出するための第２温度センサ４６が設けられている。
【００２６】
マイクロコンピュータを備えた制御装置４７には、前記第１及び第２温度センサ４５，４６からの検出信号が送信されるようになっている。前記制御装置４７は、二つの温度の検出値と、予め設定された基準値とを比較して、前記インバータ４１、可変速モータ４４及び膨張弁１７の絞り調整部４８に制御信号をそれぞれ出力するようになっている。又、図示しないがリモコンスイッチによって、前記制御装置４７に各種の信号を出力し、例えば、暖房運転と冷房運転の切り換え動作、室内暖房温度の調整、床暖房温度の調整及び冷房温度の調整等を行う制御信号を出力したり、床暖房のみの運転と、床暖房及び室内熱交換機１６による室内の暖房の運転との選択信号を出力したりするようになっている。
【００２７】
次に、前記のように構成したヒートポンプ式空調装置の動作について説明する。
図１はリモコンスイッチから前記制御装置４７に暖房運転指令が送信され、空調装置の暖房運転が開始された初期の状態にある。この状態においては、制御装置４７からインバータ４１に制御信号が出力され、圧縮機１１の可変速モータ４２がインバータ４１によって高速で運転されるとともに、前記可変速モータ４４に制御信号が出力され、送風ファン４３が高速で回転される。そして、該圧縮機１１から吐出された高温（例えば９０℃）・高圧の冷媒ガスは四方弁１４によって上流側冷媒配管１５ａに供給され、第１分岐器２１及び第１逆止弁２９の作用により前記第１バイパス配管Ｐ１に導かれる。そして、前記各第１床暖房冷媒配管２４の冷媒ガスと床暖房パネル２５との間で熱交換され、床暖房パネル２５が温められる。この熱交換によって冷却（例えば６０℃）された気液混合状態の冷媒ガスは、第１合流器２６から冷媒配管２７及び第２合流器２８を経て、上流側冷媒配管１５ａに導かれ、室内熱交換機１６に供給される。該室内熱交換機１６内の冷媒ガスは、前記送風ファン４３によって室内に吹き出される空気との間で熱交換されて凝縮され、この凝縮潜熱で冷媒液となり、顕熱を放出して低温（例えば４５℃）となり、この熱交換により室内の暖房が行われる。
【００２８】
その後、室内熱交換機１６から流出した冷媒ガスは、下流側冷媒配管１５ｂに供給され、第２バイパス配管Ｐ２を構成する第２分岐器３１から冷媒配管３２に流れ、第３分流器３３から各床暖房冷媒配管３４に流入し、各第２床暖房冷媒配管３４内の冷媒と、床暖房パネル２５との間で熱交換され、床暖房パネル２５が温められる。そして、この熱交換によってさらに低温（例えば３５℃）に冷却されて凝縮・液化された冷媒液は、第３合流器３５から冷媒配管３６及び第４合流器３７を経て、下流側冷媒配管１５ｂに導かれる。その後、冷媒液は、下流側冷媒配管１５ｂを通して膨張弁１７に導かれて、減圧・膨張されて低温（例えば７℃）・低圧の冷媒ガスとなり、室外熱交換機１８によって熱交換され、大気から熱を吸収して温められた冷媒ガス（過熱蒸気）となって圧縮機１１に戻される。
【００２９】
空調装置の暖房運転が開始されてから所定時間が経過すると、室内の温度及び床暖房パネル２５の温度が上昇する。そして、制御装置４７によって第１温度センサ４５の検出値が設定値以上になったと判断されると、該制御装置４７から前記可変速モータ４４に停止信号が出力され、室内熱交換機１６による室内の暖房が停止され、冷媒ガスは室内熱交換機１６を熱交換されることなく素通りして、前記第２バイパス配管Ｐ２に供給される。このようにして、前記第１及び第２バイパス配管Ｐ１，Ｐ２による床暖房パネル２５のみの暖房が行われる。この床暖房状態においては、制御装置４７によって第２温度センサ４６の検出値に基づいて、前記圧縮機１１のインバータ４１に制御信号が出力され、検出温度に応じて圧縮機１１の冷媒ガスの吐出容量が制御され、結果的に床暖房パネル２５の床温度がほぼ一定の目標温度になるように制御される。
【００３０】
図２には横軸に比エンタルピー、縦軸に冷媒ガスの圧力を表したモリエル線図と冷凍サイクルが示されていて、室内熱交換機１６により室内の暖房が行われるとともに、第１及び第２バイパス配管Ｐ１，Ｐ２が共に床暖房の状態にある。この冷凍サイクルのうち圧縮機１１から吐出された高温（例えば９０℃）・高圧の冷媒ガスは、第１バイパス配管Ｐ１の接続部（イ）から（ロ）の凝縮行程において、第１バイパス配管Ｐ１の冷媒ガスの凝縮潜熱が床暖房パネル２５の床暖房用放熱量として用いられる。又、接続部（ロ）から（ハ）の冷媒ガスの凝縮潜熱が室内熱交換機１６の暖房放熱量として利用される。さらに、第２バイパス配管Ｐ２の接続部（ハ）から（ニ）の冷媒液の顕熱が床暖房パネル２５の床暖房用放熱量として用いられる。
【００３１】
図３は、室内熱交換機１６の送風ファン４３が停止された場合における第１及び第２バイパス配管Ｐ１，Ｐ２の冷凍サイクルを示す。この場合には、第１及び第２バイパス配管Ｐ１，Ｐ２によって、冷媒の潜熱及び顕熱が全て床暖房用放熱量として利用される。
【００３２】
一方、図４はリモコンスイッチから冷房運転指令が制御装置４７に送信されて、該制御装置４７から冷房運転指令が空調装置に出力され、四方弁１４によって冷媒ガスの流路方向が切り換られ、空調装置が冷房運転されている状態にある。この冷房運転状態においては、圧縮機１１から吐出された高温・高圧の冷媒ガスは吐出配管１２から四方弁１４を通して室外熱交換機１８に導かれ、ここで空気と熱交換されて、冷媒ガスが凝縮されて液化され、この冷媒液が冷媒循環配管１５を通して膨張弁１７に至り、この膨張弁１７により冷媒液が減圧・膨張されて、冷媒ガスとなる。前記膨張弁１７の絞り量は、冷房負荷に応じて制御装置４７から出力される制御信号により絞り調整部４８によって適宜に調整される。この冷媒ガスは、第３逆止弁３８及び第４逆止弁３９の作用により、第２バイパス配管Ｐ２には流れず、冷媒循環配管１５から室内熱交換機１６に導かれ、この室内熱交換機１６によって室内の空気と熱交換されて、室内の冷房に供される。その後、室内熱交換機１６から出た冷媒ガスは、第１逆止弁２９と第２逆止弁３０の作用により、第１バイパス配管Ｐ１には流れず、上流側冷媒配管１５ａを通って圧縮機１１に戻される。従って、室内が冷房されている状態においては、床冷房は不要なため、第１及び第２バイパス配管Ｐ１，Ｐ２が共に停止されていて、室内熱交換機１６による冷房運転のみが行われることになる。
【００３３】
上記実施形態のヒートポンプ式空調装置によれば、以下のような効果を得ることができる。
（１）上記実施形態では、前記室内熱交換機１６の上流側冷媒配管１５ａに第１バイパス配管Ｐ１を接続し、下流側冷媒配管１５ｂに第２バイパス配管Ｐ２を接続した。このため、上流側冷媒配管１５ａ又は下流側冷媒配管１５ｂのみにバイパス配管を接続する従来の構成と比較して、床暖房パネル２５の面積が同じ条件において、室内熱交換機１６による室内の暖房運転と、第１及び第２バイパス配管Ｐ１，Ｐ２による床暖房運転とを適正に行うことができる。即ち、圧縮機１１から吐出された高温・高圧の冷媒ガスが第１バイパス配管Ｐ１による熱交換によって過度に凝縮して液化し、室内熱交換機１６による暖房運転において冷媒ガスが不足することはない。このため、冷媒ガスの温度及び圧力の低下もなく、室内熱交換機１６に供給される冷媒ガスの温度及び圧力が適正に維持され、冷凍サイクルの冷媒の相変化が安定化され、冷凍サイクルの動作を安定化することができ、室内熱交換機１６による室内の暖房を適正に行うことができる。又、室内熱交換機１６から流出した冷媒液は、第２バイパス配管Ｐ２に導かれて、床暖房パネル２５と熱交換され、床暖房に利用される。従って、室外熱交換機１８から流出された冷媒液の顕熱を床暖房の熱源として有効に利用することができ、ヒートポンプの成績係数（ＣＯＰ）を向上することができる。
【００３４】
（２）上記実施形態では、床暖房回路の熱源として、ヒートポンプ式空調装置の冷媒を利用しているため、ボイラー機器や電気発熱式の床暖房装置と比較してランニングコストを低減することができる。
【００３５】
（３）上記実施形態では、既に設置されている空調装置の上流側及び下流側冷媒配管１５ａ，１５ｂに対し、床暖房パネル２５に埋設される第１及び第２バイパス配管Ｐ１，Ｐ２を接続するようにした。このため、床暖房パネル２５及び第１及び第２バイパス配管Ｐ１，Ｐ２からなる床暖房装置を容易に施工することができ、空調装置を有する家屋においては、新たに熱源機を購入する必要がなく、施工及び設備コストを低減することができる。
【００３６】
（４）上記実施形態では、前記上流側及び下流側冷媒配管１５ａ，１５ｂに第１及び第２バイパス配管Ｐ１，Ｐ２を接続するとともに、両配管１５ａ，１５ｂに逆止弁２９，３８を設け、両配管Ｐ１，Ｐ２に逆止弁３０，３９を設けて、空調装置が冷房運転状態において、前記第１及び第２バイパス配管Ｐ１，Ｐ２の内部に冷却された冷媒ガスが侵入しないようにした。このため、第１及び第２バイパス配管Ｐ１，Ｐ２の凍結破壊を未然に防止することができる。
【００３７】
（５）上記実施形態では、空調装置の動作を制御する制御装置４７によって、第１及び第２バイパス配管Ｐ１，Ｐ２による床暖房の制御動作を容易に行うことができる。
なお、上記実施形態は以下のように変更してもよい。
【００３８】
・  図５に示すように、前記室外熱交換機１８として冷媒循環配管１５を地下に埋設して、冷媒ガスと地熱との間で熱交換を行う地中熱交換機を用いてもよい。
・  図示しないが、前記室外熱交換機１８として、前記冷媒循環配管１５のうち四方弁１４から膨張弁１７までの間の冷媒循環配管１５を井戸水の中に収容し、冷媒ガスと井戸水との間で熱交換を行うようにしてもよい。
【００３９】
・  前記室外熱交換機１８として、水の熱を利用した室外熱交換機を用いてもよい。
・  前記第１及び第２逆止弁２９，３０、第３及び第４逆止弁３８，３９を電磁弁に変更してもよい。
【００４０】
・  図示しないが、前記床暖房パネル２５に代えて、パネルヒータ或いはラジエータを暖房パネルとして用いてもよい。
・  図示しないが、前記第１及び第２床暖房冷媒配管２４，３４を一本にしたり、二本にしたり、あるいは四本以上にしたりしてもよい。
【００４１】
・室内の暖房負荷、暖房パネル２５の暖房負荷又は室内の冷房負荷を検出する手段として、前記第１及び第２温度センサ４５，４６以外に、例えば下流側冷媒配管１５ｂの内部の冷媒の圧力を検出する圧力センサ、第１及び第２床暖房冷媒配管２４，３４の出口側の冷媒の圧力を検出する圧力センサを用いてもよい。
【符号の説明】
【００４２】
Ｐ１…第１バイパス配管、Ｐ２…第２バイパス配管、１１…圧縮機、１４…四方弁、１５…冷媒循環配管、１５ａ…上流側冷媒配管、１５ｂ…下流側冷媒配管、１６…室内熱交換機、１７…膨張弁、１８…室外熱交換機、２５…床暖房パネル、２９，３０，３８，３９…逆止弁、４７…制御装置。
【図１】
2010266127.tif 000003
【図２】
2010266127.tif 000004
【図３】
2010266127.tif 000005
【図４】
2010266127.tif 000006
【図５】
2010266127.tif 000007
【図６】
2010266127.tif 000008